(57)【特許請求の範囲】
【請求項１】
パッドを入れるための大ポケットが、右のカップおよび左のカップのそれぞれの裏側に形成されたブラジャーであって、
前記大ポケットに入れられたパッドの一部が入れられることにより、そのパッドの動きを規制する小ポケットが、前記大ポケットの内側に形成され、
前記小ポケットの口が、前記大ポケットの底部に向けて開口し、
前記大ポケットの口が、両方の前記カップを互いに接続している接続部と、一方の前記カップの頂部との間に形成され、
前記小ポケットが、前記大ポケットの内側のうちの前記大ポケットの口寄りに形成されている
ブラジャー。
【請求項２】
パッドを入れるための大ポケットが、右のカップおよび左のカップのそれぞれの裏側に形成されたブラジャーであって、
前記大ポケットに入れられたパッドの一部が入れられることにより、そのパッドの動きを規制する小ポケットが、前記大ポケットの内側に形成され、
前記小ポケットの口が、前記大ポケットの底部に向けて開口し、
前記小ポケットの形状が、前記カップにおけるその頂部を含む部分の形状と相似し、
前記小ポケットの頂部に対して前記大ポケットの口側に存在する前記小ポケットの縁である開口側縁、および、前記小ポケットの頂部に対して前記大ポケットの口とは反対側に存在する前記小ポケットの縁である内部側縁が、それぞれ、前記カップおよび前記大ポケットの少なくとも一方に縫い合わせられている
ブラジャー。
【請求項３】
前記開口側縁の長さが、前記内部側縁の長さよりも長い
請求項２に記載のブラジャー。
【請求項４】
パッドを入れるための大ポケットが、右のカップおよび左のカップのそれぞれの裏側に形成されたブラジャーであって、
前記大ポケットに入れられたパッドの一部が入れられることにより、そのパッドの動きを規制する小ポケットが、前記大ポケットの内側に形成され、
前記小ポケットの口が、前記大ポケットの底部に向けて開口し、
前記カップを身体にフィットさせるための伸縮部が、前記カップの頂部よりも身体の中心側に形成され、
前記大ポケットの縁のうちの前記伸縮部と縫い合わせられていない部分が、前記大ポケットの口を形成している
ブラジャー。
【発明の詳細な説明】
【技術分野】
【０００１】
本発明は、パッドを入れるためのポケットが、右のカップおよび左のカップのそれぞれの裏側に形成されたブラジャーに関する。
【背景技術】
【０００２】
乳がんの経験者のためのブラジャーが、特許文献１をはじめとする複数の文献に開示されている。特許文献１のブラジャーによれば、パッドを入れるためのポケットが、右のカップおよび左のカップのそれぞれの裏側に形成されている。着用者は、自身の乳房の状態に応じたパッドをポケットに入れることにより、自然なバストのラインを形成することができる。
【先行技術文献】
【特許文献】
【０００３】
【特許文献１】実用新案登録第３１１８２２７号公報
【発明の概要】
【発明が解決しようとする課題】
【０００４】
特許文献１のブラジャーによれば、着用者の動作にともないパッドがポケットの内部において移動し、パッドにより形成されるバストのラインが崩れるおそれがある。特に、ポケットに入れられるパッドが大きい場合には、パッドがカップの動きに追従しにくいため、上記の問題が顕著に現れやすい。
【０００５】
本発明の目的は、パッドにより形成されるバストのラインが崩れにくいブラジャーを提供することである。
【課題を解決するための手段】
【０００６】
〔１〕本ブラジャーの独立した一形態によれば、パッドを入れるための大ポケットが、右のカップおよび左のカップのそれぞれの裏側に形成されたブラジャーであって、前記大ポケットに入れられたパッドの一部が入れられることにより、そのパッドの動きを規制する小ポケットが、前記大ポケットの内側に形成され、前記小ポケットの口が、前記大ポケットの底部に向けて開口し、前記大ポケットの口が、両方の前記カップを互いに接続している接続部と、一方の前記カップの頂部との間に形成され、前記小ポケットが前記大ポケットの内側のうちの前記大ポケットの口寄りに形成されている。
【０００７】
本ブラジャーによれば、パッドの一部が小ポケットに入れられる。このため、大ポケットに入れられたパッドの動きが、小ポケットにより規制される。このため、着用者が動作したときに、パッドがカップに追従しやすい。このため、パッドにより形成されるバストのラインが崩れにくくなる。
【０００８】
また、本ブラジャーによれば、小ポケットの口が大ポケットの底部に向けて開口しているため、小ポケットの口がこれとは反対の方向を向いている場合と比較して、パッドが大ポケットに対して一層移動しにくくなる。このため、着用者が動作したときに、パッドがカップに一層追従しやすくなる。
【００１０】
また、本ブラジャーによれば、大ポケットにおけるパッドの出入口である大ポケットの口の近くに小ポケットが形成されている。このため、小ポケットが大ポケットの底部寄りに形成される場合と比較して、パッドの一部を小ポケットに入れやすくなる。
【００１１】
〔２〕本ブラジャーの独立した一形態によれば、パッドを入れるための大ポケットが、右のカップおよび左のカップのそれぞれの裏側に形成されたブラジャーであって、前記大ポケットに入れられたパッドの一部が入れられることにより、そのパッドの動きを規制する小ポケットが、前記大ポケットの内側に形成され、前記小ポケットの口が、前記大ポケットの底部に向けて開口し、前記小ポケットの形状が、前記カップにおけるその頂部を含む部分の形状と相似し、前記小ポケットの頂部に対して前記大ポケットの口側に存在する前記小ポケットの縁である開口側縁、および、前記小ポケットの頂部に対して前記大ポケットの口とは反対側に存在する前記小ポケットの縁である内部側縁が、それぞれ、前記カップおよび前記大ポケットの少なくとも一方に縫い合わせられている。
【００１２】
本ブラジャーによれば、パッドの一部が小ポケットに入れられる。このため、大ポケットに入れられたパッドの動きが、小ポケットにより規制される。このため、着用者が動作したときに、パッドがカップに追従しやすい。このため、パッドにより形成されるバストのラインが崩れにくくなる。
また、本ブラジャーによれば、小ポケットの口が大ポケットの底部に向けて開口しているため、小ポケットの口がこれとは反対の方向を向いている場合と比較して、パッドが大ポケットに対して一層移動しにくくなる。このため、着用者が動作したときに、パッドがカップに一層追従しやすくなる。
また、本ブラジャーの小ポケットによれば、カップの頂部に対応する部分に向かうにつれて小ポケットの幅が狭くなる。このため、小ポケットに入れられたパッドの一部は、小ポケットの形状に倣うようにその形状が矯正されやすくなる。このため、パッドの一部が小ポケットと強く接触し、パッドが小ポケットに対して動きにくくなる。着用者が動作したときに、パッドがカップに一層追従しやすくなる。
【００１３】
〔３〕前記ブラジャーに従属する一形態によれば、前記開口側縁の長さが、前記内部側縁の長さよりも長い。
開口側縁は、パッドが大ポケットの口から飛び出すことを規制する機能を果たす。このため、本ブラジャーによれば、開口側縁の長さが内部側縁の長さよりも短い場合と比較して、パッドが大ポケットから一層飛び出しにくくなる。
【００１４】
〔４〕本ブラジャーの独立した一形態によれば、パッドを入れるための大ポケットが、右のカップおよび左のカップのそれぞれの裏側に形成されたブラジャーであって、前記大ポケットに入れられたパッドの一部が入れられることにより、そのパッドの動きを規制する小ポケットが、前記大ポケットの内側に形成され、前記小ポケットの口が、前記大ポケットの底部に向けて開口し、前記カップを身体にフィットさせるための伸縮部が、前記カップの頂部よりも身体の中心側に形成され、前記大ポケットの縁のうちの前記伸縮部と縫い合わせられていない部分が、前記大ポケットの口を形成している。
【００１５】
本ブラジャーによれば、パッドの一部が小ポケットに入れられる。このため、大ポケットに入れられたパッドの動きが、小ポケットにより規制される。このため、着用者が動作したときに、パッドがカップに追従しやすい。このため、パッドにより形成されるバストのラインが崩れにくくなる。
また、本ブラジャーによれば、小ポケットの口が大ポケットの底部に向けて開口しているため、小ポケットの口がこれとは反対の方向を向いている場合と比較して、パッドが大ポケットに対して一層移動しにくくなる。このため、着用者が動作したときに、パッドがカップに一層追従しやすくなる。
大ポケットは、その形態の一例として、縁が伸縮部と縫い合わせられた形態を取り得る。この場合には、伸縮部が伸縮しにくくなるため、カップを身体にフィットさせる伸縮部の機能が低くなるおそれがある。一方、本ブラジャーによれば、上記〔４〕のとおり大ポケットが形成されているため、伸縮部がその役割を適切に果たしやすい。このため、本ブラジャーは、パッドにより形成されるバストのラインを崩れにくくする効果、および、カップを身体にフィットさせる効果を併せて奏する。
【発明の効果】
【００１６】
本ブラジャーによれば、パッドにより形成されるバストのラインが崩れにくくなる。
【図面の簡単な説明】
【００１７】
【図１】実施形態のブラジャーの正面図。
【図２】実施形態のブラジャーの背面図。
【図３】図２の一部を示す背面図。
【図４】実施形態のパッドの正面図。
【図５】図２の大ポケットにパッドが入れられた状態を示す背面図。
【図６】図５のＤ６−Ｄ６線に沿う断面図。
【発明を実施するための形態】
【００１８】
図１および図２を参照して、ブラジャー１の構成について説明する。なお、以下では、ブラジャー１の幅方向の中心側を「中心側」とし、中心側と反対側を「外側」とする。また、ブラジャー１を使用者が身に着けたときに、肌に近い側を「裏側」とし、裏側と反対側を「表側」とする。
【００１９】
図１に示されるように、ブラジャー１は、右および左のカップ１０、右および左の伸縮部２０、右および左のアンダー部３０、右および左の背面部４０、テープ７０（図２参照）、ボーン８０（図２参照）、および、右および左のストラップ９０を有する。また、ブラジャー１は、右および左の大ポケット５０（図２参照）、および、右および左の小ポケット６０（図３参照）を有する。
【００２０】
カップ１０は、上方部分１１と下方部分１２とが縫い合わせられて半球形状を形成している。上方部分１１は、表側のレース生地と裏側のメッシュ生地とが重ね合わせられている。下方部分１２は、表側のレース生地と裏側の伸縮性を有する伸縮生地とが重ね合わせられている。
【００２１】
上方部分１１は、カップ１０のうちの最も上方の部分である頂部１８を有している。カップ１０の縁１４は、頂部１８から頂部１８よりも中心側に延びる中心側上縁１５、頂部１８から頂部１８よりも外側に延びる外側上縁１６、および下縁１７を有する。中心側上縁１５および外側上縁１６は、上方部分１１うちの下方部分１２と縫い合わせられていない縁である。下縁１７は、下方部分１２のうちの上方部分１１と縫い合わせられていない縁である。
【００２２】
伸縮部２０は、右のカップ１０と左のカップ１０との間の接続部２０Ａ、および、右のカップ１０および左のカップ１０よりも上方のトップ部２０Ｂとを有する。右の接続部２０Ａの中心縁２３と左の接続部２０Ａの中心縁２３とは互いに縫い合わせられている。右の接続部２０Ａおよび左の接続部２０Ａは、右のカップ１０と左のカップ１０とを接続している。トップ部２０Ｂの下縁２４は、カップ１０の中心側上縁１５と縫い合わせられている。
【００２３】
図２に示されるように、伸縮部２０は、表生地２１と裏生地２２とが重ね合わせられている。表生地２１は、レース生地により構成されている。裏生地２２は、伸縮生地により構成されている。裏生地２２は、中心側上縁１５の方向の伸縮性が大きい。伸縮部２０は、生地の伸縮性によりカップ１０を身体にフィットさせる。
【００２４】
図１に示されるように、アンダー部３０は、カップ１０の下方に配置されている。アンダー部３０は、伸縮生地により構成されている。アンダー部３０は、ブラジャー１の幅方向の伸縮性が大きい。アンダー部３０は、カップ縁３１、脇縁３２、下縁３３、および、外側上縁３４を有する。カップ縁３１は、外側上縁１６および下縁１７と縫い合わせられている。下縁３３は、ブラジャー１の下端部を形成している。外側上縁３４は、ストラップ９０とともにブラジャー１の袖ぐりを形成している。
【００２５】
背面部４０は、アンダー部３０の外側に配置されている。アンダー部３０は、伸縮生地により構成されている。背面部４０のアンダー部３０側の前縁４１は、脇縁３２と縫い合わせられている。図２に示されるように、前縁４１と脇縁３２との縫い合わせ部分には、ボーン８０が取り付けられている。
【００２６】
背面部４０のアンダー部３０とは反対側の端部４２は、フック４３またはフック受部４４（図１参照）が形成されている。このため、右の背面部４０の端部４２と左の背面部４０の端部４２とを互いに接続することができる。
【００２７】
右のストラップ９０は、右の背面部４０と右の伸縮部２０とをブラジャー１の上方において互いに接続している。左のストラップ９０は、左の背面部４０と右の伸縮部２０とをブラジャー１の上方において互いに接続している。
【００２８】
テープ７０は、トップ部２０Ｂの裏生地２２の上縁、外側上縁３４、背面部４０の上縁、背面部４０の下縁、および、下縁３３に縫い合わせられている。テープ７０は伸縮性を有し、伸縮生地よりも緊締力が大きい。
【００２９】
大ポケット５０の構成について説明する。
大ポケット５０は、大ポケット生地５１の表側の面、カップ１０の裏側の面、アンダー部３０の裏側の面、および、接続部２０Ａの裏側の面により構成されている。
【００３０】
大ポケット生地５１は、右のカップ１０の裏側の全体と左のカップ１０の裏側の全体とを覆っている。
大ポケット生地５１は、カップ１０の裏側に位置する２つのカップ生地５１Ａと、アンダー部３０の裏側に位置する周辺生地５１Ｂとを有している。各カップ生地５１Ａは、カップ１０の生地と略同じ大きさを有している。周辺生地５１Ｂは、２つのアンダー部３０を合わせた大きさを有している。大ポケット生地５１は、伸縮性を有し、かつ、肌あたりのよい柔らかい生地により構成されている。大ポケット生地５１は、ブラジャー１の高さ方向に大きく伸縮する。
【００３１】
大ポケット生地５１は、脇縁３２、下縁３３、および、外側上縁３４と縫い合わせられている。また、大ポケット生地５１は、大ポケット生地５１の幅方向の中心部分において伸縮部２０と縫い合わせられている縫付部５４を有している。縫付部５４により、右の大ポケット５０と左の大ポケット５０とが分画されている。
【００３２】
大ポケット５０は、開口した口５２、および、底部５３を有する。口５２は、大ポケット生地５１の縁のうちの外側上縁３４と縫い付けられる部分と縫付部５４との間の縁により形成されている。口５２は、接続部２０Ａと頂部１８との間を含んで形成されている。すなわち、口５２は、カップ１０の頂部１８よりも身体の中心側に形成され、大ポケット５０の縁のうちの伸縮部２０と縫い合わせられていない部分により形成されている。底部５３は、口５２とは反対側に形成されている。
【００３３】
図３を参照して、小ポケット６０の構成について説明する。なお、図３は、大ポケット生地５１を省略している。
小ポケット６０は、小ポケット生地６１の表側の面、カップ１０の裏側の面の一部により構成されている。小ポケット６０は、大ポケット５０の内側かつ口５２寄りに形成されている。
【００３４】
小ポケット生地６１は、カップ１０のうちの頂部１８付近を覆っている。小ポケット生地６１は、メッシュ生地により構成されている。小ポケット生地６１は、三角形状を有する。
【００３５】
小ポケット６０は、開口した口６２、および、底部６３を有する。口６２は、大ポケット５０の底部５３（図２参照）に向けて開口している。小ポケット６０の底部６３は、開口側縁６４および内部側縁６５により構成されている。開口側縁６４は、中心側上縁１５と縫い合わせられている。内部側縁６５は、外側上縁１６に縫い合わせられている。
【００３６】
小ポケット６０の形状は、カップ１０におけるその頂部１８を含む部分の形状と相似している。このため、小ポケット６０は、カップ１０の頂部１８に対応する頂部６６に向かうにつれて小ポケット６０の幅が狭くなっている。開口側縁６４と内部側縁６５との接続部分は、小ポケット６０の頂部６６として構成されている。頂部６６の位置は、カップ１０の頂部１８の位置と一致する。したがって、開口側縁６４は、小ポケット６０の頂部６６に対して大ポケット５０の口５２側に存在する。内部側縁６５は、小ポケット６０の頂部６６に対して大ポケット５０の口５２とは反対側に存在する。開口側縁６４の長さは、内部側縁６５の長さよりも長い。
【００３７】
図４〜図６を参照して、大ポケット５０および小ポケット６０に入れられるパッド１００の一例について説明する。
図４に示されるように、パッド１００は、乳がん等により切除された使用者の乳房の形状に合わせた形状を有する。パッド１００は、頂部１０１および底部１０２を有する。図４の背面視において、頂部１０１は、三角形状を有する。袋１１０は、表側開口１１１および裏側開口１１２が重ねあわせられて、袋状に形成されている。
【００３８】
図５に示されるように、頂部１０１は、小ポケット６０に嵌りこむことができる大きさを有する。底部１０２は、円弧形状を有し、カップ１０の下縁１７と類似した形状を有する。
【００３９】
図６に示されるように、パッド１００は、袋１１０と、袋１１０の内部に配置され、袋１１０の外周の形状を整えるためのクッション１２０、および、クッション１２０の内部に配置される内包材１３０を有している。内包材１３０は、使用者に合わせて数および材料を変更することができる。なお、内包材１３０としては、例えば流動パラフィンが封入されたクリームパッド、および、クッション等を用いることができる。
【００４０】
図６を参照して、パッド１００のブラジャー１への取り付け手順について説明する。
使用者は、袋１１０の内部に収容される内包材１３０の数または種類を自身の胸部に合わせて調整する。使用者は、表側開口１１１および裏側開口１１２（図４参照）をめくり、袋１１０の内部を露出させて内包材１３０の数および種類を変更する。
【００４１】
使用者は、パッド１００の底部１０２を口５２から挿入し、パッド１００の全体を大ポケット５０に入れる。次に、使用者は、大ポケット５０の口５２に指をかけて口５２を下方に捲り、小ポケット６０を露出される。次に、使用者は、頂部１０１を小ポケット６０に入れる。次に、使用者は、口５２から手を離し、小ポケット６０が大ポケット生地５１で覆われる状態に戻す。
【００４２】
パッド１００を取り付けたブラジャー１の着用状態について説明する。
パッド１００は、大ポケット５０の内部において、底部１０２が底部５３に配置されている。また、パッド１００の一部である頂部１０１および頂部１０１付近が小ポケット６０に入れられている。
【００４３】
大ポケット生地５１は、カップ１０の生地と略同じ大きさを有するため、カップ生地５１Ａが折り畳まれた状態で、使用者の肌Ｓと接している。なお、例えば一方の乳房のみを切除した使用者においては、切除していない側のカップ１０にパッド１００を入れずにブラジャー１を使用する。このため、カップ生地５１Ａは、カップ１０の裏側の面に沿った状態で、使用者の肌Ｓと接する。
【００４４】
ブラジャー１は以下の効果を奏する。
（１）ブラジャー１は、パッド１００の一部が小ポケット６０に入れられる。このため、大ポケット５０に入れられたパッド１００の動きが、小ポケット６０により規制される。このため、着用者が動作したときに、パッド１００がカップ１０に追従しやすい。このため、パッド１００により形成されるバストのラインが崩れにくくなる。
【００４５】
また、ブラジャー１には、小ポケット６０の口６２が大ポケット５０の底部５３に向けて開口しているため、小ポケット６０の口６２がこれとは反対の方向を向いている場合と比較して、パッド１００が大ポケット５０に対して一層移動しにくくなる。このため、着用者が動作したときに、パッド１００がカップ１０に一層追従しやすくなる。
【００４６】
（２）ブラジャー１は、大ポケット５０におけるパッド１００の出入口である大ポケット５０の口５２の近くに小ポケット６０が形成されている。このため、小ポケット６０が大ポケット５０の底部５３寄りに形成される場合と比較して、パッド１００の一部を小ポケット６０に入れやすくなる。
【００４７】
（３）小ポケット６０は、カップ１０の頂部１８に対応する部分に向かうにつれて小ポケット６０の幅が狭くなる。このため、小ポケット６０に入れられたパッド１００の一部は、小ポケット６０の形状に倣うようにその形状が矯正されやすくなる。このため、パッド１００の一部が小ポケット６０と強く接触し、パッド１００が小ポケット６０に対して動きにくくなる。着用者が動作したときに、パッド１００がカップ１０に一層追従しやすくなる。
【００４８】
（４）開口側縁６４は、パッド１００が大ポケット５０の口から飛び出すことを規制する機能を果たす。ブラジャー１は、開口側縁６４の長さが内部側縁６５の長さよりも長いため、開口側縁６４の長さが内部側縁６５の長さよりも短い場合と比較して、パッド１００が大ポケット５０から一層飛び出しにくくなる。
【００４９】
（５）縁が伸縮部２０と縫い合わせられた仮想の大ポケットは、伸縮部２０が伸縮しにくくなるため、カップ１０を身体にフィットさせる伸縮部２０の機能が低くなるおそれがある。一方、ブラジャー１は、大ポケット生地５１が伸縮部２０と縫い合わせられていないため、伸縮部２０がその役割を適切に果たしやすい。このため、ブラジャー１は、パッド１００により形成されるバストのラインを崩れにくくする効果、および、カップを身体にフィットさせる効果を併せて奏する。
【００５０】
また、口５２がカップ１０の上方において開口しているため、パッド１００を中心側上縁１５よりも上方の部分にまで配置できる。このため、中心側上縁１５と対応する部分、および中心側上縁１５よりも上方の部分をパッド１００により膨らませることができる。このため、使用者の好みや体型に応じたバストの形状を実現することができる。
【００５１】
（６）大ポケット生地５１の裏側、すなわち大ポケット５０の外に配置され、口が大ポケット５０の口５２の少なくとも一部を覆う仮想の小ポケットは、口が捲れることにより、パッド１００が大ポケット５０から飛び出すことを抑制する効果が小さくなるおそれがある。
【００５２】
一方、ブラジャー１によれば、小ポケット６０が大ポケット５０の内側に配置されている。このため、仮想の小ポケットと比較して、挿入されるパッド１００の部分を大きくできる。また、小ポケット生地６１、特に口６２が大ポケット生地５１により抑えられるため、口５２が捲れにくい。このため、小ポケット６０が、パッド１００が大ポケット５０から飛び出すことを抑制できる。
【００５３】
（７）大ポケット５０と実質的に同じ大きさを有する仮想の小ポケットは、小ポケットが深いため、パッド１００を小ポケットに入れるために手間がかかるおそれがある。一方、ブラジャー１の小ポケット６０は、大ポケット５０よりも小さい。このため、仮想の小ポケット６０と比較して、パッド１００を小ポケット６０に入れやすい。また、大ポケット５０と小ポケット６０とが重なり合う部分の面積が、仮想の小ポケットと比較して狭くなる。このため、大ポケット５０および小ポケット６０の重なりに起因して、着用者が圧迫感を覚えるおそれが低くなる。
【００５４】
（８）大ポケット５０の内側に帯が縫い合わせられることにより大ポケット５０に入れられたパッド１００の動きを規制する仮想のブラジャーは、パッド１００の一部が、帯において大ポケット５０と縫い合わせられていない部分から、大ポケット５０の外に飛び出るおそれがある。一方、ブラジャー１は、小ポケット６０がパッド１００の一部を収容する。このため、仮想のブラジャーと比較して、パッド１００が大ポケット５０の外に飛び出しにくくなる。
【００５５】
（変形例）
本ブラジャーが取り得る具体的な形態は、上記実施形態に例示された形態に限定されない。本ブラジャーは、本発明の目的が達成される範囲において、上記実施形態とは異なる各種の形態を取り得る。以下に示される上記実施形態の変形例は、本ブラジャーが取り得る各種の形態の一例である。
【００５６】
・実施形態のブラジャー１の小ポケット６０の内部側縁６５を大ポケット生地５１に縫い合わせることもできる。この場合、内部側縁６５と外側上縁１６とを縫い合わせないようにすることもできる。
【００５７】
・実施形態のブラジャー１の小ポケット６０の開口側縁６４を大ポケット生地５１に縫い合わせることもできる。この場合、開口側縁６４と中心側上縁１５とを縫い合わせないようにすることもできる。
【００５８】
・伸縮部２０を、伸縮性を有しない生地により構成することもできる。
・小ポケット６０を、底部５３寄りに形成することもできる。例えば、小ポケット生地６１を中心側上縁１５と縫い合わせず、外側上縁１６および下縁１７の少なくとも一方を含む部分に縫い合わせる。また、小ポケット６０の底部６３を、頂部１８を含まない部分に形成することもできる。
【００５９】
・大ポケット生地５１を右側の大ポケット５０を形成する大ポケット生地５１と左側の大ポケット５０を形成する大ポケット生地５１とに分離することもできる。
・大ポケット５０の口５２の全部が頂部１８よりも外側の部分に形成されるようにすることもできる。
【００６０】
・開口側縁６４の長さを、内部側縁６５の長さよりも小さくすることもできる。
・パッド１００をシリコン樹脂のパッドに変更することもできる。要するに、大ポケット５０に入れられ、バストの形状を整えることのできるパッドであれば、いずれのパッドを用いることもできる。
【００６１】
・ブラジャー１の各生地の大きさ、および、種類は適宜変更することができる。要するに、カップの裏側にパッドが入れられる大ポケットを備えるブラジャーであれば、いずれのブラジャーに実施形態の小ポケットを適用することもできる。
【符号の説明】
【００６２】
１…ブラジャー、１０…カップ、１１…上方部分、１２…下方部分、１４…縁、１５…中心側上縁、１６…外側上縁、１７…下縁、１８…頂部、２０…伸縮部、２０Ａ…接続部、２０Ｂ…トップ部、２１…表生地、２２…裏生地、２３…中心縁、２４…下縁、３０…アンダー部、３１…カップ縁、３２…脇縁、３３…下縁、３４…外側上縁、４０…背面部、４１…前縁、４２…端部、４３…フック、４４…フック受部、５０…大ポケット、５１…大ポケット生地、５１Ａ…カップ生地、５１Ｂ…周辺生地、５２…口、５３…底部、５４…縫付部、６０…小ポケット、６１…小ポケット生地、６２…口、６３…底部、６４…開口側縁、６５…内部側縁、６６…頂部、７０…テープ生地、８０…ボーン、９０…ストラップ、１００…パッド、１１０…袋、１１１…表側開口、１１２…裏側開口、１２０…クッション、１３０…内包材。
【要約】
【課題】パッドにより形成されるバストのラインが崩れにくいブラジャーを提供する。
【解決手段】ブラジャー１は、大ポケット５０および小ポケット６０が形成されている。大ポケット５０は、右のカップ１０および左のカップ１０の裏側に形成され、内部にパッド１００が入れられる。小ポケット６０は、大ポケット５０の内側に形成され、大ポケットに入れられたパッド１００の一部が入れられることによりパッド１００の動きを規制する。小ポケット６０の口６２は、大ポケット５０の底部５３に向けて開口している。
【選択図】図６【図１】
0005588076.tif 000002
【図２】
0005588076.tif 000003
【図３】
0005588076.tif 000004
【図４】
0005588076.tif 000005
【図５】
0005588076.tif 000006
【図６】
0005588076.tif 000007